【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
ルーレットタイプのゲーム装置（1）で得られる可能な結果数を増加する方法であって、現実の若しくは仮想のポインターとしてのボール(5)であって、その現実の若しくは仮想の経路の終端が複数の領域若しくはボックス(9)に向かっている前記ボール(5)が、これを収容するために事前に調整され付番された複数の前記領域もしくはボックス（9）の１つを占めることで結果が決定される前記ゲーム装置(1)において、前記領域若しくはボックス（9）内に、前記ボール（5）がその動きを終了することができる、良く定義されてかつ特定できる位置を追加することにより、前記ボール（5）の動きや前記領域（9）の一つでのその停止の仕方に影響を与えることなく、ゲームの運営方法を変更することなく、前記位置数を増やす、ことを特徴とする方法。
【請求項２】
前記ボール(5)を収容するための付番された部分またはボックス(9)を複数有し、第2の固定部分(2a)の中で回転する第１の可動部分(1b)を備え、前記第2の固定部分(2a)のトラック(6)に前記ボール(5)を配置して該ボールを前記第１の可動部分(2b)側へ投げ込み、前記ボール(5)が前記付番されたボックス(9)の1つでその移動を終えて勝ちの数値を決定するゲーム装置(1)であって、前記付番されたボックス(9)内に前記ボール(5)が停止できる1つ以上の他の停止位置を決定するために適した手段を有することを特徴とする、ゲーム装置(1)。
【請求項３】
前記付番されたボックス(9)内に前記ボール(5)が停止できる1つ以上の他の停止位置を決定するために適した手段は、前記ボックス(9)の好適な変形（（9a、9a’、9b、9b’、9c、9d、9e、9f、9g、9h、9i、9l）からなる、請求項２に記載のゲーム装置(1)。
【請求項４】
前記付番されたボックス(9)内に前記ボール(5)が停止できる1つ以上の他の停止位置を決定するために適した手段は、前記各ボックス（9）に挿入するために適した形状のインサート（10a、10a’、10b、10b’、10c、10d、10e、10f、10g、10h、10i、10l）からなる、請求項２に記載のゲーム装置(1)。
【請求項５】
前記インサート（10a、10a’）若しくは前記ボックス（9）の変形（9a、9a’）は 切り取られた部分（11、11’）を備え、この部分は垂直軸（3）に向いており、その湾曲した形状の幅（E）は1 mmと15 mmの間、及びその幅（F）は5mmと上部（C）の最大幅の間であり、これにより前記ボール（5）は付番された前記ボックス（9）内の2つの異なる位置で停止し、該2つの位置は（i）前記切り取られた部分（11、11'）の外側、または（ii）前記切り取られた部分（11、11’）内側である、ことを特徴とする請求項３又は４に記載のゲーム装置(1)。
【請求項６】
前記インサート（10b、10b’）若しくは前記ボックス（9）の変形（9b、9b’）は1つ以上の穴（12、12’）を備え、該穴の深さは、0.1 mmと3 mmの間、その直径は5 mmと15mm の間、その基底部からの距離（G、G’）は20mmと（A）‐5 mmの間であり、これにより、前記ボール（5）は前記付番されたボックス（9）内の2つの異なる位置で停止し、該異なる位置は、（i）前記穴（12、12’）の一つの外側、または（ii）前記穴（12、12’）の一つの内側である、ことを特徴とする請求項３又は４に記載のゲーム装置(1)。
【請求項７】
前記インサート（10c）若しくは前記ボックス（9）の変形（9c）は四角形の切り取られた部分（13）を備え、該部分の幅（H）は1 mmと15 mmの間、その幅（I）は5 mmと（C）との間であり、これにより前記ボール（5）は前記付番されたボックス（9）内の2つの異なる位置で停止し、該2つの異なる位置は（i）前記切り取られた部分（13）の外側、または（ii）前記切り取られた部分（13）の内側である、ことを特徴とする請求項３又は４に記載のゲーム装置(1)。
【請求項８】
前記インサート（10d）若しくは前記ボックス（9）の変形（9d）は凹み部（14）を備え、該凹み部の直径は5mmと15 mmの間、その深さは0.1mmと3mmの間、そして幅が最大10mm、浮き彫りが0.1mmから2mmのクラウン（14'）で囲まれており、これにより前記ボール（5）は、前記付番されたボックス（9）内の2つの異なる位置で停止し、当該の2つの異なる位置は（i）前記凹み部（14）の外側、または（ii）前記凹み部（14）の内側である、ことを特徴とする請求項３又は４に記載のゲーム装置(1)。
【請求項９】
前記インサート（10e）若しくは前記ボックス（9）は上部に切り取られた箇所（15）を備え、該箇所はインサートの厚み（D’）よりも小さな半径で面取りされ、その長さ（A’）は長さ（A）よりも最高15 mm短く、その上部の幅（C’）はこれに応じて変化し、これにより、前記ボール（5）は前記付番されたボックス（9）内の2つの異なる位置で停止し、該2つの位置は（i）前記切り取られた箇所（15）によって空いているスペースの外側、または（ii）前記切り取られた箇所（15）によって空いているスペースの内側である、ことを特徴とする請求項３又は４に記載のゲーム装置(1)。
【請求項１０】
前記インサート（10f）若しくは前記ボックス（9）の変形（9f）は三角形に切り取られた部分（16）を備え、該部分の開口部の角度（l）は30°から150°の間、及びその幅（L）は1 mmと15 mmの間であり、これにより前記ボール（5）は前記付番されたボックス（9）内の2つの異なる位置で停止し、該2つの異なる位置は（i）前記三角形に切り取られた部分（16）の外側、または（ii）前記三角形に切り離された部分（16）の内側である、ことを特徴とする請求項３又は４に記載のゲーム装置(1)。
【請求項１１】
前記インサート（10g）若しくは前記ボックス（9）の変形（9g）は凹み部（17）を備え、該凹み部１７の直径は5 mmと15 mmの間、その深さは0.1 mmと3 mmの間、そして基底部からの距離（M）は20 mmと（A）の間であり、前記インサート（10g）の表面は、適切に湾曲して断面（N）を定め、これにより前記ボール（5）は前記付番されたボックス（9）内の2つの異なる位置で停止し、該2つの異なる位置は（i）前記凹み部（17）の外側、または（ii）前記凹み部（17）の内側である、ことを特徴とする請求項３又は４に記載のゲーム装置(1)。
【請求項１２】
前記インサート（10h）若しくは前記ボックス（9）は凹み部１８を備え、該凹み部１８の幅（Ｏ）は5 mmと15 mmの間、その湾曲部（P）は深さは0.1 mmと3 mmの間、凹み部に関する残りの表面は厚みが異なり、その差異は0.1mmと4 mmの間で、その結果、断面（Q）のようになり、これにより前記ボール（5）は前記付番されたボックス（9）内の2つの異なる位置で停止し、該2つの異なる位置は（i）前記凹み部（18）の外側、または（ii）前記凹み部（18）の内側である、ことを特徴とする請求項３又は４に記載のゲーム装置(1)。
【請求項１３】
前記インサート（10i）若しくは前記ボックス（9）の変形（9i）は2つの球形（20）備え、該球形は水平に基底部から15 mmと（A）−5mmの間の距離（R）で、その相互の距離（S）は3 mmと10 mmの間にあり、これにより前記ボール（5）は前記付番されたボックス（9）内の2つの異なる位置で停止し、該2つの異なる位置は、（i）前記球形（20）と回転可能なプレート（2b）の外縁の間、または（ii）前記球形（20）と回転可能なプレート（2b）の内縁の間である、ことを特徴とする請求項３又は４に記載のゲーム装置(1)。
【請求項１４】
前記インサート（10l）若しくは前記ボックス（9）の変形（9l）は長方形の2つの掘り込み（21、21’）を備え、該掘り込み深さは0.1 mmと3 mmの間、その幅（T、T’）は5 mmと前記ボックス（9）の幅の間、その幅（U、U’）は2 mmと10 mmの間であり、その基底部からの距離は20 mmと（A）−5 mmの間の位置に配置され、これにより前記ボール(5)は付番されたボックス（9）内の異なる位置で停止し、該異なる位置は（i）前記スロット（21、21'）の外側、または（ii）前記スロット（21、21'）の内側である、ことを特徴とする請求項３又は４に記載のゲーム装置(1)。